(57)【要約】      （修正有）【課題】玩具煙火用導火線において、導火線の抜け落ちや不発を防止するとともに、花火への点火時に噴出口を覗き込むことなく、安全に点火できる玩具煙火用導火線を提供する。【解決手段】玩具煙火用導火線１は、火薬２が塗布され、保護キャップ３が装着されている。黒色火薬の芯を糸、紙などで被覆して紐状にした導火線１に、さらに泥薬などの火薬２を塗布し、その上に樹脂などで製作した保護キャップ３を装着して、玩具煙火用導火線として用いる。そして、玩具煙火の側面に設けた孔などにこの玩具煙火用導火線１を保護キャップ３ごと挿入して、玩具煙火本体に取り付ける。【選択図】図２
2009041828.tif 000002
【特許請求の範囲】
【請求項１】
火薬が塗布され、保護キャップが装着された玩具煙火用導火線。
【請求項２】
火薬が塗布され、保護キャップが装着された玩具煙火用導火線が取り付けられていることを特徴とする打ち揚げ式玩具煙火。
【請求項３】
火薬が塗布され、保護キャップが装着された玩具煙火用導火線が側面に取り付けられていることを特徴とする噴出玩具煙火。
【請求項４】
火薬が塗布され、保護キャップが装着された玩具煙火用導火線が側面に取り付けられていることを特徴とする連発式玩具煙火。
【発明の詳細な説明】
【技術分野】
【０００１】
本発明は、玩具煙火用導火線に関するものである。
【背景技術】
【０００２】
玩具煙火には打ち上げ、噴出、連発式など種々のタイプがあるが、何れも煙火に用いられている火薬を燃焼させることにより星薬を発射させたり、燃焼火花を噴出させたり、音を発生させたりして楽しむものである。この場合、人の手で点火した後、確実に煙火の火薬に着火し、かつ煙火から安全のため避難するする時間を確保するために導火線が用いられる。したがって、玩具煙火用導火線は玩具煙火を楽しむに当たり、安全を確保するために重要な役割をするものである。
【０００３】
玩具煙火用導火線は通常、黒色火薬の芯を糸、紙などで被覆して紐状にしたものでできており、この導火線を煙火の本体に差し込み、一方の端を外部に出し、他方の端を煙火本体の火薬に届くようにしたものである。この導火線は外部の一端に点火した後、燃焼を続け確実に煙火本体の火薬にまで到達し、本体の火薬を着火、燃焼させる必要があり、途中で燃焼が止まると不発となり、その後の処置に危険が伴ってしまう。
【０００４】
このように、玩具煙火用導火線は重要なものではあるが、揚げ薬や星薬などの本体の火薬に比べ、これまであまり改良の提案はなく、導火線への点火装置（特許文献１）や導火線自体の燃焼時に炎色や発音が発生するようにした提案（特許文献２）が散見されるのみである。
【０００５】
そして、従来の打ち揚げ式玩具煙火用導火線は、図３に示すように紙管５の側面の穴に導火線１を差し込むだけのものであり、導火線が抜け落ち易く、且つ、導火線のみの点火によるため点火力が弱く不発が生じ易く、不発花火の噴出し口を覗き込むなどの行為の際に、不発花火が発射され負傷するなどの事故が、花火事故における最も多く発生する事例となっている。
【０００６】
また、従来の噴出玩具煙火用導火線は、図５に示すように導火線１が噴出口の上部に噴出方向に向けて取り付けられたものであり、点火時に噴出口を覗き込み、また、手をかざす状態になり、大変危険を伴うものである。さらに従来の連発式玩具煙火用導火線は、図７に示すように紙管５の内部で導火線１を束ねるだけであり、点火時に上部を覗き込むため危険を伴うのみならず、不発を生じる場合もある。
【特許文献１】特開２００５−６１８１３号公報
【特許文献２】特開２００２−１７３３９０号公報
【発明の開示】
【発明が解決しようとする課題】
【０００７】
本願発明が解決しようとする課題は、従来の玩具煙火用導火線の問題点であった導火線の抜け落ちや不発を防止するとともに、花火への点火時に噴出口を覗き込むことなく、安全に点火できる玩具煙火用導火線を提供し、玩具煙火による事故発生を防ぐことにある。
【課題を解決するための手段】
【０００８】
本願発明の玩具煙火用導火線は、火薬が塗布され、保護キャップが装着された玩具煙火用導火線である。そして、打ち揚げ式煙火においては、この火薬が塗布され、保護キャップが装着された玩具煙火用導火線が取り付けられていることを特徴とし、噴出玩具煙火においては、この火薬が塗布され、保護キャップが装着された玩具煙火用導火線が側面に取り付けられていることを特徴とし、連発式玩具煙火においては、この火薬が塗布され、保護キャップが装着された玩具煙火用導火線が側面に取り付けられていることを特徴とする。
【０００９】
すなわち本願発明においては、黒色火薬の芯を糸、紙などで被覆して紐状にした導火線に、さらに泥薬などの火薬を塗布し、その上に樹脂などで製作した保護キャップを装着して、玩具煙火用導火線として用いる。そして、玩具煙火の側面に設けた孔などにこの玩具煙火用導火線を保護キャップごと挿入して、玩具煙火本体に取り付ける。
【発明の効果】
【００１０】
本願発明の構成の玩具煙火用導火線を用いる場合には、保護キャップにより導火線が煙火本体にしっかりと固定でき、さらに導火線に塗布した火薬により点火力が強まり、不発を防止することができる。さらには、噴出玩具煙火や連発式玩具煙火においても、本願発明の導火線を用いる事により、不発が防止でき、また導火線が側面に取り付けられていることから、点火時に噴出口を覗き込む必要がなくなるため、安全に点火できるものである。
【発明を実施するための最良の形態】
【００１１】
本発明の実施の態様をさらに、図を参照にしながら詳細に説明をするがこれらは好ましい態様であって、本発明はその趣旨を満たす限り、これらの態様に限定されるものではない。
【００１２】
図１は本願発明の構成の玩具煙火用導火線を示し、Ａは説明斜視図でＢは説明断面図である。図に示すように、黒色火薬の芯を糸、紙などで被覆して紐状にした導火線1の外側に泥薬などの火薬２を塗布し、さらにその上に樹脂製の保護キャップ３を装着したものである。火薬２は泥薬のほか、黒色火薬なども用いることができる。保護キャップ３は導火線１およびその上に塗布された火薬２を覆うように装着され、キャップの一方の端からは少なくとも導火線１の端が出ており、煙火本体の外側に向けられ、他方の煙火本体の内側に向けられる端からは火薬が塗布された部分が出ていることが好ましい。保護キャップ３の材質は樹脂製である事が好ましく、熱可塑性合成樹脂や熱硬化性合成樹脂が用いられる。形状はスリーブ上であってもよいし、一方ないしは両方の端部は導火線を引き出せるような孔以外は、図４や図６に示すように閉じられていてもよい。保護キャップ３の外側に向けた端を閉じておくことは、点火時の安全性をより増すことができる好ましい態様である。
【００１３】
図２は本願発明の構成の玩具煙火用導火線を打ち揚げ式玩具煙火に取り付けたものを示す。導火線１、火薬２および保護キャップ３からなる本願発明の構成の玩具煙火用導火線を玩具煙火本体の紙管５に開けられた導火線差込口に差込み、必要により接着剤４を用いて固定し、取り付けられる。この取り付けられた玩具煙火用導火線の紙管５の外側にある導火線１に点火すると、塗布してある火薬２の働きもあり、スムーズに燃焼を続け途中で立ち消えることもなく、揚げ薬８に着火することができ、揚げ薬８の燃焼力で星薬７を打ち上げることができる。保護キャップ２は確実に煙火本体の紙管５取り付けられているので、導火線の脱落もない。
【００１４】
図３は従来の打ち揚げ式玩具煙火と導火線１を示すものであり、前にも述べたように紙管５の側面の穴に導火線１を差し込んだだけのものであり、導火線が抜け落ち易く、且つ、導火線のみの点火によるため点火力が弱く、揚げ薬８に導火線１がきちんと接触していないと不発を生じることとなる。
【００１５】
図４は本願発明の構成の玩具煙火用導火線を噴出玩具煙火にとりつけたものを示す。導火線１、火薬２および保護キャップ３からなる本願発明の構成の玩具煙火用導火線を玩具煙火本体の紙管５の側面に開けられた導火線差込口に差込み、必要により接着剤４を用いて固定し、取り付けられる。図４に示すように保護キャップ３の煙火本体外側となる端を球形として閉じて、導火線を引き出しておくことは、保護キャップ内の燃焼時の圧力を分散させるのに好ましい形である。保護キャップ３の煙火本体内側となる端から引き出された、火薬２が塗布された導火線１は泥薬１１で噴出口にて塗り固めてある。この取り付けられた玩具煙火用導火線の紙管５の外側にある導火線１に点火すると、塗布してある火薬２の働きもあり、スムーズに燃焼を続け途中で立ち消えることもなく、泥薬１１に着火することができ、泥薬の燃焼に引き続き、噴出火薬１２の着火、燃焼を引き起こすことができ、噴出火花を観賞できる。
【００１６】
図５は従来の噴出玩具煙火と導火線１を示すものであり、噴出口上部で噴出方向に向けて、導火線１を泥薬１１で取り付けたものであり、点火時に噴出口を覗き込み、また、手をかざす状態になり、大変危険を伴うものである。本願発明では図４に示すように、紙管５の側面に保護キャップを介して取り付けられているので、噴出口上部を覗き込むこともないし手をかざすこともなく、安全に点火できる。さらに本発明の構成では、保護キャップ３を介して紙管に取り付けられており、導火線の脱落もなく、導火線１に塗布した火薬２の働きにより、途中で火が立ち消えて不発となることもない。
【００１７】
図６は本願発明の構成の玩具煙火用導火線を連発式玩具煙火に取り付けたものを示す。導火線１、火薬２および保護キャップ３からなる本願発明の構成の玩具煙火用導火線を玩具煙火本体の紙管５の側面に開けられた導火線差込口に差込み、必要により接着剤４を用いて固定し、取り付けられる。連発式玩具煙火本体の内部にて、保護キャップ３より引き出された火薬２が塗布された導火線１は、各連発打ち揚げ筒からの導火線を束ねたものと一緒に泥薬１１で塗り固めてある。この場合も、塗布してある火薬２の働きもあり、スムーズに燃焼を続け途中で立ち消えることもなく、泥薬１１に着火することができ、泥薬の燃焼に引き続き、各連発打ち揚げ筒への導火線への燃焼を続けることができ、連発打ち上げを観賞できる。
【００１８】
図７は従来の連発式玩具煙火と導火線１を示すものであり、噴出口上部で各連発打ち揚げ筒からの導火線１を泥薬１１で束ねたものであり、点火時に噴出口を覗き込み、また、手をかざす状態になり、大変危険を伴うものである。本願発明では図６に示すように、紙管５の側面に保護キャップを介して取り付けられているので、噴出口上部を覗き込むこともないし手をかざすこともなく、安全に点火できる。さらに本発明の構成では、保護キャップ３を介して紙管に取り付けられており、導火線の脱落もなく、導火線１に塗布した火薬２の働きにより、途中で火が立ち消えて不発となることもない。
【産業上の利用可能性】
【００１９】
本発明の導火線は、玩具煙火として必要な安全を確実に確保するものであり、玩具煙火業界で広く利用される可能性を持っている。
【図面の簡単な説明】
【００２０】
【図１】本願発明の玩具煙火用導火線の説明斜視図（Ａ）と説明断面図（Ｂ）である。
【図２】本願発明の玩具煙火用導火線が取り付けられた打ち揚げ式玩具煙火の説明断面図である。
【図３】従来技術の導火線が取り付けられた打ち揚げ式玩具煙火の説明断面図である。
【図４】本願発明の玩具煙火用導火線が取り付けられた噴出玩具煙火の説明断面図である。
【図５】従来技術の導火線が取り付けられた噴出玩具煙火の説明断面図である。
【図６】本願発明の玩具煙火用導火線が取り付けられた連発式玩具煙火の説明断面図である。
【図７】従来技術の導火線が取り付けられた連発式玩具煙火の説明断面図である。
【符号の説明】
【００２１】
１    導火線
２    導火線に塗布された火薬
３    保護キャップ
４    接着剤
５    紙管
６    上止め
７    星薬
８    揚げ薬
９    底止め
１０  台座
１１  泥薬
１２  噴出火薬
【図１】
2009041828.tif 000003
【図２】
2009041828.tif 000004
【図３】
2009041828.tif 000005
【図４】
2009041828.tif 000006
【図５】
2009041828.tif 000007
【図６】
2009041828.tif 000008
【図７】
2009041828.tif 000009